(57)【要約】      （修正有）【課題】梱包の際に、内装袋が破袋される恐れも無く、梱包後の外装箱が変形しにくいバッグインボックスを提供する。【解決手段】外装箱１０と、外装箱の開放された一面から収納された内装袋とからなるバッグインボックスにおいて、外装箱が前後に一対の第一側面板１０１、１０２と、左右に一対の第二側面板１０３、１０４を有し、外装箱の一対の第一側面板の一面側に内フラップ１０５、１０６が延設され、内フラップを内側に倒したときに、内フラップと他方の一対の第二側面板との間に、隙間ａ、ｂができるように内フラップの幅を狭くし、隙間が対角に位置する２箇所に設けられ、他の対角に位置する２箇所では、内フラップが他方の一対の側面板と接するように設けられている。【選択図】図１
2015202883.tif 000002
【特許請求の範囲】
【請求項１】
外装箱と、該外装箱の開放された一面から収納された内装袋とからなるバッグインボックスにおいて、
前記外装箱が前後に一対の第一側面板と、左右に一対の第二側面板を有し、前記外装箱の一方の一対の前記側面板の前記一面側に内フラップが延設され、該内フラップを内側に倒したときに、該内フラップと他方の一対の前記側面板との間に、隙間ができるように前記内フラップの幅を狭くし、前記隙間が対角に位置する２箇所に設けられ、他の対角に位置する２箇所では、前記内フラップが他方の一対の前記側面板と接するように設けられていることを特徴とするバッグインボックス。
【請求項２】
前記第一側面板と前記第二側面板とで形成される角部のうち、前記隙間の位置する角部が面取りされて面取側面板が設けられていることを特徴とする請求項１に記載のバッグインボックス。
【発明の詳細な説明】
【技術分野】
【０００１】
本発明は、バッグインボックスに関するものである。
【背景技術】
【０００２】
段ボール箱、厚紙製の箱などの外装箱に、樹脂フィルムなどで形成された内装袋が内蔵されたバッグインボックスタイプが、酒、ジュース、ワイン、牛乳、ミネラルウォータなどの飲料を充填する容器として広く使用されており、最近では液体洗剤や粉体を充填する容器としても注目されている。
【０００３】
これは、容器が軽いにも拘らず比較的多量の液体あるいは粉体を充填することが出来るためであり、また、容器自体は折り畳んだ状態で保管・搬送などが可能なため、ガラス瓶、金属製の缶などに比べて嵩張らないことから使用性の面でのメリットも大きいと云った理由によるものである。
【０００４】
このようなバッグインボックスで、内装袋を外装箱に収納し梱包することは、上方が開放した状態で製函された外装箱に、内容物を充填した内装袋を落とし込むことによって行われている（例えば、特許文献１）。
【０００５】
外装箱の開放された上端部には、内フラップと外フラップが設けられ、内フラップを内側に倒して、内フラップの上に外フラップを倒して、梱包するのが一般的である（例えば、特許文献２）。
【０００６】
この梱包の際に、内装袋を内フラップと側面板とで噛み込み、内装袋を傷つけ、ピンホールを発生させ破袋させてしまうといった問題が有った。内フラップと側面板とで噛み込むのを防ぐために、内フラップをなくしてしまうと、梱包後の外装箱の保形性が低下して、外装箱が変形してしまう恐れがある。
【０００７】
公知文献を以下に示す。
【先行技術文献】
【特許文献】
【０００８】
【特許文献１】特開２０１２−８６８８２号公報
【特許文献２】特開平９−９９９７６号公報
【発明の概要】
【発明が解決しようとする課題】
【０００９】
本発明は上記のような事情に鑑みてなされたもので、梱包の際に、ピンホールなど内装袋が破袋される恐れも無く、梱包後の外装箱が変形しにくいバッグインボックスを提供することを課題とする。
【課題を解決するための手段】
【００１０】
本発明は係る課題に鑑みなされたものであり、請求項１の発明は、外装箱と、該外装箱の開放された一面から収納された内装袋とからなるバッグインボックスにおいて、
前記外装箱が前後に一対の第一側面板と、左右に一対の第二側面板を有し、前記外装箱の一方の一対の前記側面板の前記一面側に内フラップが延設され、該内フラップを内側に倒したときに、該内フラップと他方の一対の前記側面板との間に、隙間ができるように前記内フラップの幅を狭くし、前記隙間が対角に位置する２箇所に設けられ、他の対角に位置
する２箇所では、前記内フラップが他方の一対の前記側面板と接するように設けられていることを特徴とするバッグインボックスである。
【００１１】
本発明の請求項２の発明は、前記第一側面板と前記第二側面板とで形成される角部のうち、前記隙間の位置する角部が面取りされて面取側面板が設けられていることを特徴とする請求項１に記載のバッグインボックスである。
【発明の効果】
【００１２】
本発明のバッグインボックスは、梱包する際に、内装袋にピンホールなどにより破袋することが無く、梱包後の外装箱が変形しにくい。
【図面の簡単な説明】
【００１３】
【図１】本発明のバッグインボックスの第１の実施形態の外装箱の上部が開放された状態を模式的に斜視で示した説明図である。
【図２】本発明のバッグインボックスの第１の実施形態の内装袋を模式的に側面で示した説明図である。
【図３】本発明のバッグインボックスの第１の実施形態の外装箱の展開図である。
【図４】本発明のバッグインボックスの第２の実施形態の外装箱の上部が開放された状態を模式的に斜視で示した説明図である。
【図５】本発明のバッグインボックスの第２の実施形態の内装袋を模式的に側面で示した説明図である。
【図６】本発明のバッグインボックスの第２の実施形態の外装箱の展開図である。
【発明を実施するための形態】
【００１４】
＜第１の実施形態＞
以下、本発明を実施するための第１の実施形態につき説明する。
図１は、本発明のバッグインボックスの第１の実施形態の上部が開放された状態を模式的に斜視で示した説明図、図２は、本発明のバッグインボックスの第１の実施形態の内装袋を模式的に側面で示した説明図である。
【００１５】
第１の実施形態のバッグインボックス１は、外装箱１０と内装袋２０とからなっている。図１は、上部が開放された状態の外装箱１０である。外装箱１０は、前後に一対の第一側面板１０１、１０２と、左右に一対の第二側面板１０３、１０４を有している。
【００１６】
開放された上面側には、第一側面板１０１、１０２の上端からそれぞれ内フラップ１０５、１０６が延設されている。内フラップ１０５、１０６は、内側に倒したとき、内フラップ１０５と第二側面板１０３との間に、内フラップ１０６と第二側面板１０４との間に、それぞれ、隙間ａ、ｂができるように、内フラップ１０５、１０６の幅を、第一側面板１０１、１０２の幅より狭くしてある。
【００１７】
尚、この状態で、内フラップ１０５と第二側面板１０４は、略接するように、また、内フラップ１０６と第二側面板１０３は、略接するように、設けられている。このように、隙間ａ、ｂは上面の対角に位置するように設けられ、また、他の対角では、内フラップ１０５と第二側面板１０４が、また、内フラップ１０６と第二側面板１０３が、略接するように設けられている。
【００１８】
また、第二側面板１０３、１０４の上端には、外フラップ１０７、１０８が設けられている。内フラップ１０５、１０６を内側に倒した後、その上に重なるように外フラップ１０７、１０８を倒して、接着剤やテープで封緘してバッグインボックスを梱包する。尚、第一側面板１０１には、内装袋２０の口栓を取り出すための開口予定部Ｘが、破線状の切れ目により設けられている。
【００１９】
内装袋２０は、軟包装材料からなる表側フィルム２０１と裏側フィルム２０２を重ね合わせて、周縁部をシールして、周縁シール部２０３を設けて作られている。また、表側フィルム２０１には、口栓２０４が、内容物収納部の内側に貫通するように設けられ、口栓２０４から内容物を取り出せるようになっている。
【００２０】
尚、表側フィルム２０１と裏側フィルム２０２はそれぞれ、複数のフィルムが接着しないで重ねあわされている。このように接着しないで重ね合わせると、柔軟な袋になり、衝撃に対して破袋しにくくなる。
【００２１】
図３は、本発明のバッグインボックスの第１の実施形態の外装箱の展開図である。
【００２２】
外装箱１０の材質は、段ボール紙や厚紙からなっている。そのおもて面や裏面に樹脂層などが設けられていても良い。また、紙以外の剛性のある材料で造られていても良い。そして、図３の展開図のようなブランク１１を一点鎖線で示す折罫で折って、必要に応じてホットメルトなどの接着剤で接着し組み立てることができる。
【００２３】
ブランク１１では、上下中央には、左から第二側面板１０４、第一側面板１０１、第二側面板１０３、第一側面板１０２が連設され、右端には接着片１１３が設けられている。
【００２４】
第一側面板１０１には、収納された包装袋２０の口栓２０４の部分を、外装箱１０を解体することなく、外に引き出せるように開口予定部Ｘが、破線状の切れ目で設けられている。
【００２５】
第一側面板１０１、１０２の上端には、内フラップ１０５、１０６がそれぞれ設けられていて、内フラップ１０５、１０６の幅は、第一側面板１０１、１０２の幅より狭くなっていて、左に寄せられて、製函されたときに、内フラップ１０５と第二側面板１０３の間、及び、内フラップ１０６と第二側面板１０４との間に、それぞれ、隙間ａ、ｂができるようになっている。第二側面板１０３、１０４の上端には、外フラップ１０７、１０８がそれぞれ設けられている。
【００２６】
第一側面板１０１、１０２の下端には、底側内フラップ１０９、１１０がそれぞれ設けられている。また、第二側面板１０３、１０４の上端には、底側外フラップ１１１、１１２がそれぞれ設けられている。
【００２７】
このブランク１１から外装箱１０を製函するには、第二側面板１０４、第一側面板１０１、第二側面板１０３、第一側面板１０２を角筒状に折って、接着片１１３のおもて面を第二側面板１０４の裏面に接着剤などを用いて貼着する。
【００２８】
次に、底側内フラップ１０９、１１０を内方に倒すように折って、更に、底側外フラップ１１１、１１２を内方に倒すように折る。このとき、底側外フラップ１１１と底側外フラップ１１２の重なり部を、接着剤などを用いて貼着する。
【００２９】
これにより、図１にあるような、上部が開放された状態の外装箱１０が製函される。この外装箱１０に梱包装置にて、内容物の充填された内装袋２０を、開放された上部より落とし込むように入れて収納させる。
【００３０】
そして、内フラップ１０５、１０６を内方に倒すように折る。このとき、内装袋２０は、側面板より上に出ている部分が、内フラップ１０５、１０６で押し下げられ、内フラップ１０５、１０６の無い隙間ａ、ｂの部分には、内装袋２０の上に出ている部分が来る。このため、内フラップ１０５と第二側面板１０４の間、内フラップ１０６と第二側面板１０３の間に内装袋２０が挟まれにくく、挟まれて内装袋２０がピンホールなどにより破袋する恐れがない。
【００３１】
そして、外フラップ１０７、１０８を内方に倒すように折る。このとき、外フラップ１０７と外フラップ１０８の重なり部を、接着剤などを用いて貼着し、梱包する。このようにすると、内フラップ１０５は第二側面板１０４と接するようになり、第一側面板１０１と第二側面板１０４の角度が、つぶれないようになる。また、内フラップ１０６は第二側面板１０３と接するようになり、第一側面板１０２と第二側面板１０３の角度が、つぶれないようになる。
【００３２】
このように、上面の対角がそれぞれつぶれないようになっているので、外装箱１０がつぶれにくくなる。また、外装箱の底部分も同様な形状になっていて、底部分でもつぶれないようになっているので、外装箱１０は上端部分も底部分もつぶれにくくなる。このため、梱包後の外装箱１０は変形しにくい。
【００３３】
＜第２の実施形態＞
以下、本発明を実施するための第２の実施形態につき説明する。
図４は、本発明のバッグインボックスの第２の実施形態の上部が開放された状態を模式的に斜視で示した説明図、図２は、本発明のバッグインボックスの第２の実施形態の展開図である。
【００３４】
第２の実施形態のバッグインボックス２は、外装箱３０と内装袋４０とからなっている。図４は、上部が開放された状態の外装箱３０である。外装箱３０は、前後に一対の第一側面板３０１、３０２と、左右に一対の第二側面板３０３、３０４を有している。
【００３５】
また、第一側面板３０１と第二側面板３０３とで形成される角部は面取りされて、面取側面板３０５が設けられ、第一側面板３０２と第二側面板３０４とで形成される角部も面取りされて、面取側面板３０６が設けられている。
【００３６】
開放された上面側には、第一側面板３０１、３０２の上端からそれぞれ内フラップ３０７、３０８が延設されている。内フラップ３０７、３０８の幅は、第一側面板３０１、３０２の幅と略同程度になっていて、内フラップ３０７、３０８を内側に倒したとき、面取側面板３０５、３０６を設けた分、内フラップ３０７と第二側面板３０３との間、内フラップ３０８と第二側面板３０４との間に、それぞれ、隙間ｃ、ｄができるようになっている。
【００３７】
尚、この状態で、内フラップ３０７と第二側面板３０４は、略接するように、また、内フラップ３０８と第二側面板３０３は、略接するように設けられている。このように、隙間ｃ、ｄは、面取側面板３０５、３０６のある対角の上面に位置するように設けられ、また、他の対角では、内フラップ３０７と第二側面板３０４が、また、内フラップ３０８と第二側面板３０３が、略接するように設けられている。
【００３８】
また、第二側面板３０３、３０４の上端には、外フラップ３０９、３１０が設けられている。内フラップ３０７、３０８を内側に倒した後、その上に重なるように外フラップ３０９、３１０を倒して、接着剤やテープで封緘してバッグインボックス２を梱包する。尚、第一側面板３０１には、内装袋４０の口栓を取り出すための開口予定部Ｙが、破線状の切れ目により設けられている。
【００３９】
内装袋４０は、軟包装材料からなる表側フィルム４０１と裏側フィルム４０２を重ね合わせて、周縁部をシールして、周縁シール部４０３を設けて作られている。また、表側フィルム４０１には、口栓４０４が、内容物収納部の内側に貫通するように設けられ、口栓４０４から内容物を取り出せるようになっている。尚、口栓４０４はコック付口栓になっている。
【００４０】
表側フィルム４０１と裏側フィルム４０２はそれぞれ、複数のフィルムが接着しないで重ねあわされている。このように接着しないで重ね合わせると、柔軟な袋になり、衝撃に対して破袋しにくくなる。
【００４１】
図６は、本発明のバッグインボックスの第２の実施形態の外装箱の展開図である。
【００４２】
外装箱３０の材質は、段ボール紙や厚紙からなっている。そのおもて面や裏面に樹脂層が設けられていても良い。また、紙以外の剛性のある材料で造られていても良い。そして、図６の展開図のようなブランク３１を一点鎖線で示す折罫で折って、必要に応じてホットメルトなどの接着剤で接着し組み立てることができる。
【００４３】
ブランク３１は、上下中央には、左から第二側面板３０４、第一側面板３０１、面取側面板３０５、第二側面板３０３、第一側面板３０２、面取側面板３０６が連設され、右端には接着片３１５が設けられている。第一側面板３０１には、収納された包装袋４０の口栓４０４の部分を、外装箱３０を解体することなく、外に引き出せるように開口予定部Ｙが、破線状の切れ目で設けられている。
【００４４】
第一側面板３０１、３０２の上端には、内フラップ３０７、３０９がそれぞれ設けられていて、内フラップ３０７、３０９の幅は、第一側面板３０１、３０２の幅と略同程度になっている。
【００４５】
製函されたときに、面取側面板３０５、３０６を設けた分、内フラップ３０７と第二側面板３０３の間、及び、内フラップ３０８と第二側面板３０４との間に、それぞれ、隙間ｃ、ｄができるようになっている。第二側面板３０３、３０４の上端には、外フラップ３０９、３１０がそれぞれ設けられている。
【００４６】
第一側面板３０１、３０２の下端には、底側内フラップ３１１、３１２がそれぞれ設けられている。また、第二側面板３０３、３０４の下端には、底側外フラップ３１３、３１４がそれぞれ設けられている。
【００４７】
このブランク３１から外装箱３０を製函するには、第二側面板３０４、第一側面板３０１、面取側面板３０５、第二側面板３０３、第一側面板３０２、面取側面板３０６を、第二側面板３０４と第一側面板３０１が直角になるように、第二側面板３０３と第一側面板３０２が直角になるように、折って角筒状にし、接着片３１５のおもて面を第二側面板３０４の裏面に接着剤などを用いて貼着する。
【００４８】
次に、底側内フラップ３１１、３１２を内方に倒すように折って、更に、底側外フラップ３１３、３１４を内方に倒すように折る。このとき、底側外フラップ３１３と底側外フラップ３１４の重なり部を、接着剤などを用いて貼着する。
【００４９】
これにより、図４にあるような、上部が開放された状態の外装箱３０が製函される。この外装箱３０に梱包装置にて、内容物の充填された内装袋４０を、開放された上部より落とし込むように入れて収納させる。
【００５０】
そして、内フラップ３０７、３０８を内方に倒すように折る。このとき、内装袋４０は、側面板より上に出ている部分が、内フラップ３０７、３０８で押し下げられ、内フラップ３０７、３０８の無い隙間ｃ、ｄの部分には、内装袋４０の上に出ている部分が来る。このため、内フラップ３０７と第二側面板３１４の間、内フラップ３０８と第二側面板３０３の間に内装袋４０が挟まれにくく、挟まれて内装袋４０がピンホールなどにより破袋する恐れがない。
【００５１】
そして、外フラップ３０９、３１０を内方に倒すように折る。このとき、外フラップ３０９と外フラップ３１０の重なり部を、接着剤などを用いて貼着し、梱包する。このようにすると、内フラップ３０７は第二側面板３０４と接するようになり、第一側面板３０１と第二側面板３０４の角度が、つぶれないようになる。また、内フラップ３０８は第二側面板３０３と接するようになり、第一側面板３０２と第二側面板３０３の角度が、つぶれないようになる。
【００５２】
このように、上面の対角がそれぞれつぶれないようになっているので、外装箱３０がつぶれにくくなる。また、外装箱の底部分も同様な形状になっていて、底部分でもつぶれないようになっているので、外装箱３０は上端部分も底部分もつぶれにくくなる。このため、梱包後の外装箱３０は変形しにくい。
【００５３】
また、第一側面板３０１、３０２、及び、第二側面板３０３、３０４の他に、面取側面板３０５、３０６を設け、横断面が六角形になるようにしてあるので、側面板の外面に印刷などの表示を設ける場合、いろいろな角度から見て表示が変わることから、広告機能も向上し差別化が図れる。
【００５４】
以上のように、本発明のバックインボックスは、内容物の充填された内装袋を収納し梱包する際に、内フラップと側面板の間に内装袋を挟みこみ、ピンホールなどにより内装袋を破袋したりすることが無い。また、梱包後の外装箱が変形しにくい。これにより梱包済みのバックインボックスが座屈したりして破壊される恐れが無い。
【符号の説明】
【００５５】
１、２・・・バッグインボックス
１０、３０・・・外装箱
１１、３１・・・ブランク
１０１、１０２、３０１、３０２・・・第一側面板
１０３、１０４、３０３、３０４・・・第二側面板
１０５、１０６、３０７、３０８・・・内フラップ
１０７、１０８、３０９、３１０・・・外フラップ
１０９、１１０、３１１、３１２・・・底側内フラップ
１１１、１１２、３１３、３１４・・・底側外フラップ
３０５、３０６・・・面取側面板
ａ、ｂ、ｃ、ｄ・・・隙間
Ｘ、Ｙ・・・開口予定部
２０、４０・・・内装袋
２０１、４０１・・・表側フィルム
２０２、４０２・・・裏側フィルム
２０３、４０３・・・周縁シール部
２０４、４０４・・・口栓
【図１】
2015202883.tif 000003
【図２】
2015202883.tif 000004
【図３】
2015202883.tif 000005
【図４】
2015202883.tif 000006
【図５】
2015202883.tif 000007
【図６】
2015202883.tif 000008